【事件の表示】
　特願２０１１−２７８７４０「遊技機」拒絶査定不服審判事件〔平成２５年　７月　４日出願公開、特開２０１３−１２８５７６〕について、次のとおり審決する。
【結　論】
　本件審判の請求は、成り立たない。
【理　由】
１　手続の経緯
　本願は、平成２３年１２月２０日の出願であって、平成２６年２月２８日付けで拒絶査定がなされ、それに対して、平成２６年５月２８日に拒絶査定不服審判の請求がなされると同時に明細書及び特許請求の範囲に係る手続補正がなされたものである。
　一方、当審において、平成２７年５月１４日付けで拒絶理由を通知し、応答期間内である同年７月１６日に意見書及び手続補正書が提出されたところである。
　なお、当審の拒絶理由の内容は、本願の請求項１に係る発明は、刊行物１記載の発明に刊行物２、３に記載された発明を適用することにより当業者が容易になし得たものとしたが、刊行物２及び刊行物３は同様の文献であるため、本審決では刊行物３は採用していない。
　
２　本願発明
　この出願の請求項１〜７に係る発明は、平成２７年７月１６日付け手続補正書により補正された特許請求の範囲の請求項１〜７に記載されたとおりであるところ、その請求項１に係る発明（以下「本願発明」という。）は、次のとおりのものと認める。 
　
「【請求項１】
　所定のスイッチ信号に起因する抽選処理を実行して、その抽選結果に対応した画像演出を実行する遊技機であって、
　抽選処理を実行して抽選結果を特定する制御コマンドを出力することで遊技動作を統括的に制御する主制御手段と、前記主制御手段が出力する制御コマンドに対応する画像演出を実行する画像制御手段と、を有して構成され、
　前記画像制御手段は、
　画像演出を統括的に制御するコンピュータ回路素子と、
　前記コンピュータ回路素子からの指示に基づいて、複数の演出画像の画像データを生成する単一の画像処理回路素子と、
　前記画像処理回路素子が生成した第１画像データを受けて演出画像を表示するメイン表示装置と、
　前記画像処理回路素子が生成した第２画像データのうち、下位ビットを除いた低画質データを受けて、前記メイン表示装置より低画質の演出画像を表示する可動性を有するサブ表示装置と、を有して構成され、
　前記第１画像データと、前記低画質データは、各々、シリアル信号の形式で伝送されるよう構成されると共に、
　必要時、前記サブ表示装置は、遊技者に有利な状態が招来することを不確定に報知する予告演出を実行するよう構成されていることを特徴とする遊技機。」
　
３　刊行物 
（１）当審において通知した拒絶の理由に引用された特開２０１１−８７７０６号公報（以下、「刊行物１」という。）には、次の事項が図面とともに記載されている。 
　
（１−ａ）「【発明が解決しようとする課題】
【０００４】
　ところで、上記特許文献１の構成によれば、リーチ変動が開始されるのに伴って遊技者に操作ボタンを連打させ、所定時間内におけるボタン操作回数が予め定めた回数以上となり且つ当落判定の結果が当りとなるときは、そのまま大当り図柄を表示する一方、ボタン操作回数が予め定めた回数よりも少なく且つ当落判定の結果が当りとなるときは、一旦はずれ図柄を表示した後に復活演出的に大当り図柄を表示し、また、ボタン操作回数に関わらず当落判定の結果がはずれとなるときは、そのままはずれ図柄を表示するようになっていた。従って、遊技者が必死に操作ボタンを連打しようが、あるいは、連打しなかろうが、最終的な表示結果は予め乱数抽選によって決定されている結果が表示されることになるので、無駄な操作が強要されるようなイメージを遊技者に与える虞があった。
　本発明は、上記した事情に鑑みなされたもので、その目的とするところは、遊技者に対して無駄な操作を強要することなく気軽に遊技に参加できる構成とすることで、遊技の興趣低下を抑制することができる遊技機を提供することにある。」
　
（１−ｂ）「【０５５４】
　
主制御ＭＰＵ４１００ａは、第一始動口２００１へ受入れられた遊技球を検出する第一始動口スイッチ２０１１（入賞検出手段）、第二始動口２００２へ受入れられた遊技球を検出する第二始動口スイッチ２０１２（入賞検出手段）、
入力されたり
【０５５５】
　また主制御ＭＰＵ４１００ａは、遊技に関する各種情報（遊技情報）及び払出しに関する各種コマンド等を、上述した主ドロワ中継基板１１０７を介して払出制御基板１１８６に送信したり、この払出制御基板１１８６からのパチンコ機１の状態に関する各種コマンド等を、主ドロワ中継基板１１０７を介して受信したりする。更に
主制御ＭＰＵ４１００ａは、遊技演出の制御に関する各種コマンド及びパチンコ機１の状態に関する各種コマンドを
周辺制御基板４１４０に送信したりする
　
（１−ｃ）「【０５６７】
　
周辺制御ＭＰＵ４１４０ａは、
主制御基板４１００から各種コマンドを受信すると、
液晶表示装置１４００またはサブ液晶表示装置３０９２に表示させる画面を示す表示コマンドを液晶制御基板３１８１に出力したりする
【０５６８】
　
周辺制御ＭＰＵ４１４０ａから液晶制御基板３１８１に出力される表示コマンドはシリアル入出力ポートにより行われ
　
（１−ｄ）「【０５７３】
［３−４．液晶制御基板］
　次に、周辺基板４０１０における液晶表示装置１４００及びサブ液晶表示装置３０９２の描画制御を行う液晶制御基板３１８１は、図示するように、マイクロプロセッサとしての液晶制御ＭＰＵ４１５０ａと、各種処理プログラム、各種コマンド及び各種データを記憶する液晶制御ＲＯＭ４１５０ｂと、上述した液晶表示装置１４００及びサブ液晶表示装置３０９２を表示制御するＶＤＰ（Ｖｉｄｅｏ  Ｄｉｓｐｌａｙ  Ｐｒｏｃｅｓｓｏｒの略）４１５０ｃと、液晶表示装置１４００及びサブ液晶表示装置３０９２に表示される画面の各種データを記憶するキャラＲＯＭ４１５０ｄと、このキャラＲＯＭ４１５０ｄに記憶されている各種データが転送されてコピーされるキャラＲＡＭ４１５０ｅと、を備えている。
【０５７４】
　この
液晶制御ＭＰＵ４１５０ａは
周辺制御基板４１４０から上述した表示コマンドを受信すると
受信した表示コマンドに基いてＶＤＰ４１５０ｃを制御して液晶表示装置１４００及びサブ液晶表示装置３０９２の描画制御を行う。
　
（１−ｅ）「【０５７７】
　
ＶＤＰ４１５０ｃは
液晶表示装置１４００及びサブ液晶表示装置３０９２に表示する描画データを生成し、この生成した描画データを液晶表示装置１４００及びサブ液晶表示装置３０９２に出力する。
　
（１−ｆ）「【０５９２】
　また、
主制御基板４１００では、
第一始動口スイッチ２０１１、第二始動口スイッチ２０１２に検出されると、第一始動口２００１では所定の第一特別乱数の発生・抽出が、第二始動口２００２では所定の第二特別乱数の発生・抽出が夫々行われる（当落判定手段）
　
（１−ｇ）「【０５９９】
　ところで、本実施形態の
パチンコ機１では、第一始動口２００１や第二始動口２００２への遊技球の始動入賞を契機として抽出された第一特別乱数や第二特別乱数に応じて（特別抽選結果に応じて）
液晶表示装置１４００においても、特別乱数（特別抽選結果）に応じた演出画像が表示されるようになっている
　
（１−ｈ）「【０６０１】
　なお、第一特別図柄表示器６４１や第二特別図柄表示器６４２での特別図柄の変動表示は、主制御基板４１００によって直接制御されるようになっているのに対して（図２３２を参照）、
液晶表示装置１４００及びサブ液晶表示装置３０９２での図柄の変動表示は、主制御基板４１００から周辺制御基板４１４０へ送信される抽選結果に係るコマンドに基づいて周辺制御基板４１４０及び液晶制御基板３１８１によって制御されるようになっている
図柄の変動パターン
　
（１−ｉ）「【０６１１】
　先ず、始動口２００１，２００２への入賞に基づくリーチ判定に基づいてリーチありが決定されると、図２３３に示すように、
液晶表示装置１４００の表示画面には、本発明に係るメイン表示制御手段によるメイン表示装置（液晶表示装置１４００）の表示制御として、左右の装飾図柄（演出情報）が同一図柄で揃ったリーチ態様（同図中には、左右の装飾図柄が「４」の図柄で揃ったリーチ態様を例示）が表示され、
サブ液晶表示装置３０９２（小型液晶ユニット３０８５）の表示画面が視認可能となる前向位置となるように回動制御されており、小型液晶ユニット３０８５の表示画面には、本発明に係るサブ表示制御手段によるサブ表示装置（サブ液晶表示装置３０９２）の表示制御として、リーチ態様となった旨を遊技者に認識させる「立直（リーチ）」の文字が表示される
【０６１２】
　その後は、図２３４及び図２３５に示すように、液晶表示装置１４００での中装飾図柄のリーチ変動中に、複合演出装置３０７５が下部シャフト３０８７を中心として小型液晶ユニット３０８５の表示画面が視認できなくなる後向位置に向けて回動される。そして、この状態（小型液晶ユニット３０８５の表示画面が後向位置に回動された状態）において、小型液晶ユニット３０８５の表示画面には、液晶表示装置１４００で変動表示中の中装飾図柄の結果（これは、乱数によって事前に決定されている）と同一の図柄（以下、これを認識図柄という：認識情報）が表示される。但し、このときは、小型液晶ユニット３０８５の表示画面は後向位置にあり、遊技者から小型液晶ユニット３０８５に表示された認識図柄は視認できないようになっている。
【０６１３】
　その後、液晶表示装置１４００に変動表示中の中装飾図柄の結果、言い換えれば、装飾図柄の表示結果（大当り図柄、又ははずれ図柄）が表示される間近のタイミングで、小型液晶ユニット３０８５の認識図柄が視認不可能な位置と、遊技者の視認角度によっては認識図柄が視認可能となる位置（遊技者が通常の遊技姿勢を崩して、斜め方向からチラリと認識図柄が視認できる位置）との間で、複合演出装置３０７５を数回回動させる煽り的な演出を行う。そして、最終的には、図２３６に示すように、液晶表示装置１４００で中装飾図柄の変動表示を終了して装飾図柄の表示結果（大当り図柄、又ははずれ図柄）が表示されるタイミングに合わせて、小型液晶ユニット３０８５の表示画面、即ち、小型液晶ユニット３０８５に表示される認識図柄が通常の遊技姿勢で確実に視認可能となる前向位置に複合演出装置３０７５が回動される。なお、図２３６中には、左・中・右の装飾図柄が「４」の図柄で揃った大当り図柄（特定表示結果）が液晶表示装置１４００に表示され、また、サブ液晶表示装置３０９２（小型液晶ユニット３０８５）には、大当りを決定する「４」の中装飾図柄と対応した「４」の認識図柄が表示された場合を例示している。
【０６１４】
　以上のように、本実施形態の構成によれば、
メイン液晶表示装置において演出情報のリーチ態様での変動表示が開始されてから表示結果が表示されるまでの期間内で、当該リーチ態様での変動表示後の表示結果が特定表示結果であるか否かを遊技者に認識させる認識情報をサブ液晶表示装置に表示制御する。
サブ液晶表示装置に表示された認識情報が視認可能となる位置に演出装置を回動制御し
メイン液晶表示装置に演出情報の表示結果（当り又ははずれの結果）が表示される以前のタイミングで、遊技者が若干遊技姿勢を崩して、チラリと斜め方向からサブ液晶表示装置の表示画面を覗く努力を行えば、事前に当り又ははずれの結果が分かる構成にできる
　
（１−ｊ）段落【０５９９】から、第一始動口スイッチ２０１１、第二始動口スイッチ２０１２に検出されたことを契機に抽出された第一特別乱数や第二特別乱数に応じて（特別抽選結果に応じて）、演出画像が表示されるパチンコ機１であるといえる。
　
（１−ｋ）段落【０５５４】、【０５５５】において、「主制御ＭＰＵ４１００ａ」は、主制御基板４１００にあるので、主制御基板４１００は、第一始動口２００１へ受入れられた遊技球を検出する第一始動口スイッチ２０１１、第二始動口２００２へ受入れられた遊技球を検出する第二始動口スイッチ２０１２からの検出信号が入力され、遊技演出の制御に関する各種コマンドを周辺制御基板４１４０に送信するものといえる。
（１−ｌ）段落【０６０１】から、主制御基板４１００から周辺制御基板４１４０へ送信される抽選結果に係るコマンドは、変動パターンコマンド及び図柄指定コマンドであるといえる。
（１−ｍ）段落【０６１３】から、液晶表示装置１４００には、左右が同一図柄で揃ったリーチ態様が表示され、サブ液晶装置３０９２には、立直（リーチ）の文字が表示されることが記載されているから、液晶表示装置１４００に出力される描画データには、液晶表示装置１４００用の描画データとサブ液晶装置３０９２用の描画データがあるといえる。
　よって、以上の事項を総合すると、刊行物１には、次の発明が記載されていると認められる（以下、この発明を「刊行物１発明」という。）。 
　
「第一始動口２００１、第二始動口に遊技球が入賞して、第一始動口スイッチ２０１１、第二始動口スイッチ２０１２に検出されたことを契機に抽出された第一特別乱数や第二特別乱数に応じて（特別抽選結果に応じて）、演出画像が表示されるパチンコ機１であって、
　第一始動口スイッチ２０１１、第二始動口スイッチ２０１２に遊技球が検出されると、第一特別乱数や第二特別乱数の抽出を行い、遊技演出の制御に関する各種コマンドとして変動パターンコマンド及び図柄指定コマンドを周辺制御基板４１４０に送信する主制御基板４１００と、周辺制御ＭＰＵ４１４０ａが主制御基板４１００から受信したコマンド受信すると、液晶表示装置１４００またはサブ液晶表示装置３０９２に表示させる画面を示す表示コマンドが出力される液晶制御基板３１８１と、を有して構成され、
　前記液晶制御基板３１８１は、
　ＶＤＰ４１５０ｃを制御して液晶表示装置１４００及びサブ液晶表示装置３０９２の描画制御を行う液晶制御ＭＰＵ４１５０ａと、
　前記液晶制御ＭＰＵ４１５０ａから出力された画像データに基づいて液晶表示装置１４００及びサブ液晶表示装置３０９２に表示する描画データを生成するＶＤＰ４１５０ｃと、
　ＶＤＰ４１５０ｃが生成した液晶表示装置１４００用の描画データを出力する液晶表示装置１４００と、
　ＶＤＰ４１５０ｃが生成したサブ液晶表示装置３０９２用の描画データを出力し、回動制御されるサブ液晶表示装置３０９２と、を有して構成され、
　サブ液晶表示装置３０９２は、液晶表示装置１４００において演出情報のリーチ態様での変動表示が開始されてから表示結果が表示されるまでの期間内で、当該リーチ態様での変動表示後の表示結果が特定表示結果であるか否かを遊技者に認識させる認識情報を表示制御するパチンコ機１。」
　
（２）当審において通知した拒絶の理由に引用された特開２００８−２２９００３号公報（以下、「刊行物２」という。）には、次の事項が図面とともに記載されている。
　
（２−ａ）「【０００３】
近年の表示装置であるＬＣＤ（Liquid Crystal Display：液晶表示装置）、特にＳＶＧＡクラス以上のＬＣＤは、デジタルＲＧＢ（Red，Green，Blue）信号を入力して表示動作するようになっており、
遊技機に設けられる表示装置
ＶＤＰ（Video Display Processor）はノイズなどの影響を受け付けにくいＬＶＤＳ方式で表示装置にデータ転送を行っている。
　
（２−ｂ）「【００２７】
図３は、表示制御回路１３０の構成を示す回路ブロック図である。
表示制御回路１３０は、
ＶＤＰ１３４に接続されたＬＶＤＳトランスミッタ１３８と、ＬＶＤＳトランスミッタ１３８に接続された出力コネクタ１３９とを備えて構成されている
【００２８】
同じく、図３に示すように、
液晶表示装置２００は
シリアルの低電圧差動信号
ＬＶＤＳレシーバ２０２と、ＬＶＤＳレシーバ２０２から出力されたデジタルＲＧＢ信号に基づいて画像を表示するＬＣＤ２０３
　
（２−ｃ）「【００３６】
ＬＶＤＳトランスミッタ１３８は
シリアルの低電圧差動信号に変換し
出力する
　
（２−ｄ）「【００３８】
ＬＶＤＳレシーバ２０２は
シリアルの低電圧差動信号をパラレルのデジタルＲＧＢ信号に変換し、ＬＣＤ２０３へ出力する。
　
　よって、以上の事項を総合すると、刊行物２には、次の発明が記載されていると認められる（以下、この発明を「刊行物２発明」という。）。 
「ＶＤＰ１３４を備えた表示制御回路のＬＤＶＳトランスミッタ１３８から、シリアルの低電圧差動信号を液晶表示装置２００のＬＤＶＳレシーバ２０２に供給する遊技機に設けられた表示装置。」
　
４　対比 
　本願発明と刊行物１発明とを対比する。
　
ア　刊行物１発明において、刊行物１発明の「第一特別乱数や第二特別乱数に応じて（特別抽選結果に応じて）、演出画像が表示される」ことは、本願発明の「抽選結果に対応した画像演出を実行する」ことに相当する。
　よって、刊行物１発明の「第一始動口２００１、第二始動口に遊技球が入賞して、第一始動口スイッチ２０１１、第二始動口スイッチ２０１２に検出されたことを契機に抽出された第一特別乱数や第二特別乱数に応じて（特別抽選結果に応じて）、演出画像が表示されるパチンコ機１」は、本願発明の「所定のスイッチ信号に起因する抽選処理を実行して、その抽選結果に対応した画像演出を実行する遊技機」に相当する。
　
イ　刊行物１発明の「第一始動口スイッチ２０１１、第二始動口スイッチ２０１２に遊技球が検出されると、第一特別乱数や第二特別乱数の抽出を行い、遊技演出の制御に関する各種コマンドとして変動パターンコマンド及び図柄指定コマンドを周辺制御基板４１４０に送信する主制御基板４１００」は、本願発明の「抽選処理を実行して抽選結果を特定する制御コマンドを出力することで遊技動作を統括的に制御する主制御手段」に相当する。
　
ウ　刊行物１発明の「液晶制御基板３１８１」は本願発明の「画像制御手段」に相当する。また、刊行物１発明の「ＶＤＰ４１５０ｃ」は、描画データを生成して出力するものであるから、本願発明の「画像処理回路素子」に相当する。
　そして、一般に「ＭＰＵ」とは、統括的な回路素子であるといえるから、刊行物１発明の「ＶＤＰ４１５０ｃを制御して液晶表示装置１４００及びサブ液晶表示装置３０９２の描画制御を行う液晶制御ＭＰＵ４１５０ａ」は、本願発明の「画像演出を統括的に制御するコンピュータ回路素子」に相当する。
　
エ　刊行物１発明において、ＶＤＰ４１５０ｃは、液晶表示装置１４００及びサブ液晶表示装置３０９２に表示する描画データを生成するから、複数の演出画像の画像データを生成する単一の画像処理素子であるといえる。
　よって、刊行物１発明の「液晶制御ＭＰＵ４１５０ａから出力された画像データに基づいて液晶表示装置１４００及びサブ液晶表示装置３０９２に表示する描画データを生成するＶＤＰ４１５０ｃ」は、本願発明の「コンピュータ回路素子からの指示に基づいて、複数の演出画像の画像データを生成する単一の画像処理回路素子」に相当する。
　
オ　刊行物１発明の「液晶表示装置１４００用の描画データ」は、本願発明の「第１の画像データ」に相当し、同様に「サブ液晶表示装置３０９２用の描画データ」は、「第２の画像データ」に相当するといえる。
　よって、刊行物１発明の「ＶＤＰ４１５０ｃが生成した液晶表示装置１４００用描画データを出力する液晶表示装置１４００」は、本願発明の「画像処理回路素子が生成した第１画像データを受けて演出画像を表示するメイン表示装置」に相当する。
　
カ　刊行物１発明の「ＶＤＰ４１５０ｃが生成したサブ液晶表示装置３０９２用の描画データを出力し、回動制御されるサブ液晶表示装置３０９２」と、本願発明の「画像処理回路素子が生成した第２画像データのうち、下位ビットを除いた低画質データを受けて、メイン表示装置より低画質の演出画像を表示する可動性を有するサブ表示装置」とは、「画像処理回路素子が生成した第２画像データを受けて、演出画像を表示する可動性を有するサブ表示装置」である点で共通する。
　
キ　刊行物１発明の「サブ液晶表示装置３０９２は、液晶表示装置１４００において演出情報のリーチ態様での変動表示が開始されてから表示結果が表示されるまでの期間内で、当該リーチ態様での変動表示後の表示結果が特定表示結果であるか否かを遊技者に認識させる認識情報を表示制御するパチンコ機１」と本願発明の「必要時、サブ表示装置は、遊技者に有利な状態が招来することを不確定に報知する予告演出を実行する遊技機」とは、「サブ表示装置は、遊技者に有利な状態が招来することを報知する演出を実行する遊技機」である点で共通する。
　
ク　したがって、本願発明と刊行物１発明とは、
「所定のスイッチ信号に起因する抽選処理を実行して、その抽選結果に対応した画像演出を実行する遊技機であって、
　抽選処理を実行して抽選結果を特定する制御コマンドを出力することで遊技動作を統括的に制御する主制御手段と、前記主制御手段が出力する制御コマンドに対応する画像演出を実行する画像制御手段と、を有して構成され、
　前記画像制御手段は、
　画像演出を統括的に制御するコンピュータ回路素子と、
　前記コンピュータ回路素子からの指示に基づいて、複数の演出画像の画像データを生成する単一の画像処理回路素子と、
　前記画像処理回路素子が生成した第１画像データを受けて演出画像を表示するメイン表示装置と、
　前記画像処理回路素子が生成した第２画像データを受けて、演出画像を表示する可動性を有するサブ表示装置と、を有して構成され、
　前記サブ表示装置は、遊技者に有利な状態が招来することを報知する演出を実行するよう構成されている遊技機。」
である点で一致し、以下の点で相違する。
　
［相違点１］ 
　サブ表示装置に関して、本願発明は、「画像処理回路素子が生成した第２画像データのうち、下位ビットを除いた低画質データを受けて、メイン表示装置より低画質の演出画像を表示する」のに対して、刊行物１発明は、そのような演出画像を表示するかどうか明らかではない点。
　
［相違点２］ 
　本願発明は、「第１画像データと、低画質データは、各々、シリアル信号の形式で伝送されるよう構成される」のに対し、刊行物１発明は、そのように特定されていない点。
　
［相違点３］ 
　サブ表示装置が遊技者に有利な状態が招来することを報知する演出に関して、本願発明は、「必要時」、「不確定に報知する予告演出」であるのに対し、刊行物１発明は、そのように特定されていない点。
　
５　当審の判断 
　上記相違点について検討する。
ア　相違点１について 
　遊技機の技術分野において、サブ表示装置においてメイン表示装置より低画質の演出画像を表示させることは周知の技術である（例えば、特開２０１０−７５４６７号の段落【００３８】、【００９０】には、メイン画像データＭは解像度が大きく、サブ画像データＳは解像度が小さい旨の記載があり、特開２０１１−２３９９５６号公報の段落【００３９】〜【００４４】には、ＥＬ画面６０よりも液晶画面５０の方が解像度が高い旨の記載があり、２０１１−２４４８９７号公報の段落【００４５】〜【００５０】には、ＥＬ画面５０よりも液晶画面５０の方が画面解像度が大きい旨の記載がある。そして、解像度とはビットマップ画像における画像の密度であるから、一般的には、解像度が高い方が高画質であり、解像度が低い方が低画質といえる。以下「周知の技術Ａ」という。）。
　また、低画質の画像データを、デジタルデータのうち下位ビットを除いて生成することは周知の技術である（例えば、特開２００６−３３４９６号公報の請求項２、段落【００４０】〜【００４５】には、画質よりも高速処理を優先するために、ＲＧＢデータを下位方向に２ビットシフトを行うこと、すなわち、下位ビットを切り捨ててデータを生成することが記載されており、特開２００２−３３０２８７号公報の【請求項１】には、第１階調出力値の下位ビットを切り捨てて第２階調出力値とする点が記載されており、特開平１０−６３２２３号の段落【０００２】には、ビット数が不一致の場合に、映像データの下位２ビットを切り捨てる処理が記載されている。以下「周知の技術Ｂ」という。）。
　そして、低画質の画像を表示する場合に、低画質の画像データを供給することは当業者が適宜なし得ることである。
　よって、刊行物１発明に、周知の技術Ａ及び周知の技術Ｂを適用し、サブ表示装置を、第２画像データのうち、下位ビットを除いた低画質データを受けて、メイン表示装置より低画質の演出画像を表示するように構成し、上記相違点１に係る本願発明の構成とすることは、当業者が容易になし得たものである。
　
イ　相違点２について
　刊行物２発明は、上記２（２）で述べたとおり、「ＶＤＰ１３４を備えた表示制御回路のＬＤＶＳトランスミッタ１３８から、シリアルの低電圧差動信号を液晶表示装置２００のＬＤＶＳレシーバ２０２に供給する遊技機に設けられた表示装置」である。
　そして、刊行物２発明の「シリアルの低電圧差動信号」は、本願発明の「シリアル信号」に相当するものであり、このようなシリアルの低電圧差動信号での供給は、低画質データの場合においても可能であることは明らかである。
　刊行物１発明と刊行物２発明とは、遊技機の表示装置という点で共通するものであるから、刊行物１発明に刊行物２発明を適用し、上記相違点２に係る本願発明の構成とすることは、当業者が容易になし得たことである。
ウ　相違点３について
　遊技機の技術分野において、サブ画面で遊技者に有利な状態が招来することを不確定に報知する予告演出を行うことは周知の技術である（例えば、特開２０１０−８８７３１号公報の段落【０１６９】には、大当たりの信頼度を、表示体１８０の表示内容によって報知する点が記載されており、特開２００１−４６６６４号公報の段落【００５０】には、サブ画面３０ｂに、画像遊技の結果が大当たり表示に確定する確率を表示する点が記載されており、特開２０１１−２３４９５０号公報の段落【０２３３】には、盤側連続予告表示装置７１に特図変動表示ゲームの結果に対する信頼度が高いことを示す「強」の文字を表示する点が記載されており、特開２０１１−２４４８９７号公報の段落【０２８６】には、ＥＬ画面６０に「大当たりの期待大！」等の文字情報を表示した点が記載されており、これらは、いずれも遊技者が有利な状態が両隊することを不確定に報知する予告演出といえる。以下「周知の技術Ｃ」という。）。
　また、予告演出を必要時に行うことは、遊技機の分野において技術常識であり、当業者が適宜なし得ることである。
　よって、刊行物１発明に周知の技術Ｃを適用し、上記相違点３に係る本願発明の構成とすることは、当業者が容易になし得たことである。
　
　請求人は、平成２７年７月１６日付け意見書において、「本願発明のサブ表示装置は、必要時、遊技者に有利な状態が招来することを不確定に報知する予告演出を実行するところ、刊行物１には、このような構成を開示ないし示唆する記載は存在しません。刊行物１の段落０００７の記載によれば、引用発明１は、「リーチ態様での変動表示タイミングに、最終結果をサブ液晶表示装置３０９２で覗き見できることを趣旨としており、むしろ、本願発明と真逆の構成に他なりません。」と主張する。
　しかしながら、上記のとおり、サブ画面で遊技者に有利な状態が招来することを不確定に報知する予告演出を行うことは周知の技術であり、刊行物１記載の発明の「リーチ態様での変動表示後の表示結果が特定表示結果であるか否かを遊技者に認識させる認識情報を表示制御」することに換えて、周知の技術を採用することは当業者が容易になし得たものである。
　
エ　本願発明が奏する効果について
　上記相違点１ないし相違点３によって本願発明が奏する効果は、当業者が刊行物１発明、刊行物２発明及び周知の技術（Ａ〜Ｃ）から予測し得る程度のものであって、格別のものではない。
　
６　むすび 
　以上のとおりであるから、本願発明は、刊行物１発明、刊行物２発明及び周知の技術（Ａ〜Ｃ）に基づいて当業者が容易に発明をすることができたものであり、特許法第２９条第２項の規定により特許を受けることができない。 
　したがって、その余の請求項に係る発明において検討するまでもなく、本願は、拒絶されるべきものである。 
　よって、結論のとおり審決する。